(57)【要約】【課題】ユーザが所持している携帯端末の位置情報を利用し、表示装置に表示された情報の続きをシームレスに携帯端末に表示する。【解決手段】サイネージ検索サーバ１の位置情報受付手段１１は、携帯端末２から携帯端末位置情報を受信し、サイネージ検索手段１２は、携帯端末位置情報と表示装置位置情報とを比較し、ユーザが見ていた表示装置３及びコンテンツを特定する。表示開始位置設定手段１３は、携帯端末２によるアクセス時間から、続きのコンテンツ情報の表示開始位置を設定し、コンテンツ作成手段１４は、表示開始位置以降の続きのコンテンツ情報をサイネージサーバ４から受信し、ＨＴＭＬファイルを作成する。コンテンツ送信手段１５は、ＨＴＭＬファイルを携帯端末２へ送信する。これにより、続きのコンテンツ情報が携帯端末２の画面に表示されるから、ユーザは表示装置３から離れても、連続したコンテンツ情報を見ることができる。【選択図】図３
2011086213.tif 000002
【特許請求の範囲】
【請求項１】
コンテンツ情報を配信するサイネージサーバと、前記コンテンツ情報を受信して画面に表示する表示装置と、ユーザにより所持されている携帯端末と、前記サイネージサーバからコンテンツ情報を受信し、携帯端末へ送信して画面に表示させるサイネージ検索サーバとにより構成されたシステムにおける前記サイネージ検索サーバであって、
前記表示装置の画面を見たユーザによる前記携帯端末への操作に伴って、前記携帯端末から前記携帯端末の位置情報を受信し、前記受信した時間をアクセス時間として設定する位置情報受付手段と、
前記携帯端末の位置情報と予め設定された前記表示装置の位置情報とに基づいて、前記携帯端末から所定範囲内に設置された表示装置を特定し、前記表示装置に表示されたコンテンツ情報を特定するサイネージ検索手段と、
前記位置情報受付手段により設定されたアクセス時間に基づいて、前記携帯端末の画面にコンテンツ情報を表示する際の表示を開始する時間位置を示す表示開始位置を設定する表示開始位置設定手段と、
前記表示開始位置設定手段により設定された表示開始位置以降のコンテンツ情報を、前記表示装置の画面に表示されていたコンテンツ情報の続きとして、前記位置情報を送信してきた携帯端末の画面に表示させるコンテンツ送信手段と、を備えたことを特徴とするサイネージ検索サーバ。
【請求項２】
請求項１に記載のサイネージ検索サーバにおいて、
さらに、前記表示開始位置設定手段により設定された表示開始位置以降のコンテンツ情報を続きのコンテンツ情報として前記サイネージサーバから受信し、前記続きのコンテンツ情報に基づいてＨＴＭＬファイルを作成するコンテンツ作成手段を備え、
前記コンテンツ送信手段は、前記コンテンツ作成手段により作成されたＨＴＭＬファイルを、前記携帯端末へ送信することを特徴とするサイネージ検索サーバ。
【請求項３】
請求項２に記載のサイネージ検索サーバにおいて、
前記コンテンツ作成手段は、前記作成したＨＴＭＬファイルを記憶手段に格納し、前記記憶手段に格納したＨＴＭＬファイルのＵＲＬを設定し、
前記コンテンツ送信手段は、前記コンテンツ作成手段により設定されたＵＲＬを前記携帯端末へ送信し、前記ＵＲＬに対するユーザの操作に伴って前記携帯端末から送信要求を受信し、前記送信要求が示すＨＴＭＬファイルを前記記憶手段から読み出して前記携帯端末へ送信することを特徴とするサイネージ検索サーバ。
【請求項４】
請求項２または３に記載のサイネージ検索サーバにおいて、
さらに、前記サイネージサーバがコンテンツ情報を表示装置へ配信する前に、前記表示装置の位置情報、前記コンテンツ情報を識別するためのコンテンツＩＤ、前記コンテンツ情報が表示装置の画面に表示される表示開始時間、及び前記サイネージサーバに格納されているコンテンツ情報の所在を示すコンテンツ所在情報を受信し、サイネージＤＢとして記憶手段に格納するサイネージＤＢ更新手段を備え、
前記サイネージ検索手段は、前記サイネージＤＢから表示装置の位置情報を読み出し、前記携帯端末の位置情報と、前記表示装置の位置情報とに基づいて、前記携帯端末から所定範囲内に設置された表示装置を特定し、前記サイネージＤＢからコンテンツＩＤを読み出して前記表示装置に表示されたコンテンツ情報を特定し、
表示開始位置設定手段は、前記サイネージＤＢから表示開始時間を読み出し、前記アクセス時間及び前記表示開始時間に基づいて、前記携帯端末の画面にコンテンツ情報が表示される際の表示開始位置を設定し、
前記コンテンツ作成手段は、前記サイネージＤＢからコンテンツ所在情報を読み出し、前記続きのコンテンツ情報の送信を要求する送信要求を前記コンテンツＩＤ及び表示開始位置と共に、前記コンテンツ所在情報が示すサイネージサーバへ送信し、前記サイネージサーバから前記送信要求に対する続きのコンテンツ情報を受信し、ＨＴＭＬファイルを作成することを特徴とするサイネージ検索サーバ。
【請求項５】
コンテンツ情報を配信するサイネージサーバと、前記コンテンツ情報を受信して画面に表示する表示装置と、ユーザにより所持されている携帯端末と、サイネージ検索サーバとにより構成されたシステムにおける前記サイネージ検索サーバが、前記表示装置に表示されたコンテンツ情報を特定し、前記サイネージサーバから前記コンテンツ情報を受信し、前記携帯端末へ送信して画面に表示させるサイネージ検索方法であって、
前記表示装置の画面を見たユーザによる前記携帯端末への操作に伴って、前記携帯端末から前記携帯端末の位置情報を受信するステップと、
前記携帯端末の位置情報を受信した時間を、アクセス時間として設定するステップと、
前記携帯端末の位置情報と前記表示装置の位置情報とに基づいて、前記携帯端末から所定範囲内に設置された表示装置を特定し、前記表示装置に表示されたコンテンツ情報を特定するステップと、
前記アクセス時間に基づいて、前記携帯端末の画面にコンテンツ情報を表示する際の表示を開始する時間位置を示す表示開始位置を設定するステップと、
前記表示開始位置以降のコンテンツ情報を、前記表示装置の画面に表示されていたコンテンツ情報の続きとして、前記位置情報を送信してきた携帯端末の画面に表示させるステップと、を有することを特徴とするサイネージ検索方法。
【請求項６】
請求項５に記載のサイネージ検索方法をコンピュータに実行させることを特徴とするサイネージ検索プログラム。
【発明の詳細な説明】
【技術分野】
【０００１】
本発明は、デジタルサイネージ（電子看板）により表示される情報を検索し、携帯端末へ送信するサイネージ検索サーバ、方法及びプログラムに関する。
【背景技術】
【０００２】
従来、映像等の広告を、インターネット等のネットワークを介して表示装置に表示するデジタルサイネージが知られている。デジタルサイネージは、サイネージサーバからネットワークを介して配信された映像等の情報を表示装置に表示し、表示装置に表示された情報をユーザへ閲覧させる仕組みをいう。表示装置は、例えばビルの外壁、店舗内、電車内、ビル内のエントランスホール等に設置される。このデジタルサイネージは、従来の紙媒体のポスター等に比べ、効果的な宣伝広告を実現することができるとして、急速に普及している。
【０００３】
このようなデジタルサイネージを利用したサービスの例として、表示装置に表示された情報のサマリー、追加情報等を携帯端末へ送信するシステムが知られている（例えば、特許文献１を参照）。このシステムは、表示装置に表示された広告を見たユーザが、半導体ＩＣチップ等に記録された個人情報を、表示装置の近くに設置されたリーダに読み取らせ、その広告に関する情報をサーバからユーザの携帯端末へ送信するものである。
【０００４】
具体的には、サーバの記憶装置には、表示装置に表示された広告のサマリー、追加情報等が予め格納されている。サーバは、リーダからネットワークを介してユーザの個人情報及び表示装置の識別情報等を受信すると、表示装置の識別情報及び現在時間等に基づいて、現在表示されている広告を特定し、その広告のサマリー、追加情報等を記憶装置から読み出し、ユーザの個人情報に基づいて携帯端末のメールアドレス等を特定し、ユーザが所持している携帯端末へ送信する。このシステムによれば、表示装置に表示された広告を見て興味を示したユーザに対し、広告メッセージを的確に伝達することができる。
【先行技術文献】
【特許文献】
【０００５】
【特許文献１】特開２００４−１１０７５３号公報
【発明の概要】
【発明が解決しようとする課題】
【０００６】
前述のシステムは、表示装置に表示されている広告を見たユーザの表示要求に従って、その広告のサマリー、追加情報等をサーバから携帯端末へ送信するサービスを実現する。このシステムにより、ユーザは、表示装置に表示されている広告に関する情報を取得することができる。
【０００７】
しかしながら、前述のシステムでは、ユーザは、広告に関するそれ自体の情報を、サマリー、追加情報等の別途の形態で取得することができるに過ぎない。また、広告全体の情報が携帯端末へ送信された場合には、ユーザはその広告を最初から見る必要があり、途中から引き続き見ることができない。さらに、ユーザが、表示装置に表示された広告を見ている途中で表示装置から離れた場合、その広告を引き続き見ることができない。このように、前述のシステムでは、利便性の点で不十分であった。
【０００８】
ここで、ユーザが表示装置から離れた場合であっても、表示装置への表示と携帯端末への表示とを連係させ、表示装置に表示された広告の続きを途切れることなく（シームレスに）ユーザへ見せることができれば、ユーザの利便性は向上すると共に、広告メッセージをユーザへ的確にかつ効率的に伝達することができる。これにより、ユーザは、所望する広告の内容を効率的に認識することが可能となり、広告の提供者にとっては、デジタルサイネージによる広告表示よりも一層効果的な宣伝広告を実現することが可能となる点で有用である。
【０００９】
そこで、本発明は、前記課題を解決するためになされたものであり、その目的は、ユーザが所持している携帯端末の位置情報を利用し、表示装置に表示された情報の続きをシームレスに携帯端末に表示可能なサイネージ検索サーバ、方法及びプログラムを提供することにある。
【課題を解決するための手段】
【００１０】
前記課題を解決するため、本発明によるサイネージ検索サーバは、コンテンツ情報を配信するサイネージサーバと、前記コンテンツ情報を受信して画面に表示する表示装置と、ユーザにより所持されている携帯端末と、前記サイネージサーバからコンテンツ情報を受信し、携帯端末へ送信して画面に表示させるサイネージ検索サーバとにより構成されたシステムにおける前記サイネージ検索サーバであって、前記表示装置の画面を見たユーザによる前記携帯端末への操作に伴って、前記携帯端末から前記携帯端末の位置情報を受信し、前記受信した時間をアクセス時間として設定する位置情報受付手段と、前記携帯端末の位置情報と予め設定された前記表示装置の位置情報とに基づいて、前記携帯端末から所定範囲内に設置された表示装置を特定し、前記表示装置に表示されたコンテンツ情報を特定するサイネージ検索手段と、前記位置情報受付手段により設定されたアクセス時間に基づいて、前記携帯端末の画面にコンテンツ情報を表示する際の表示を開始する時間位置を示す表示開始位置を設定する表示開始位置設定手段と、前記表示開始位置設定手段により設定された表示開始位置以降のコンテンツ情報を、前記表示装置の画面に表示されていたコンテンツ情報の続きとして、前記位置情報を送信してきた携帯端末の画面に表示させるコンテンツ送信手段と、を備えたことを特徴とする。
【００１１】
また、本発明によるサイネージ検索サーバは、さらに、前記表示開始位置設定手段により設定された表示開始位置以降のコンテンツ情報を続きのコンテンツ情報として前記サイネージサーバから受信し、前記続きのコンテンツ情報に基づいてＨＴＭＬファイルを作成するコンテンツ作成手段を備え、前記コンテンツ送信手段が、前記コンテンツ作成手段により作成されたＨＴＭＬファイルを、前記携帯端末へ送信することを特徴とする。
【００１２】
また、本発明によるサイネージ検索サーバは、前記コンテンツ作成手段が、前記作成したＨＴＭＬファイルを記憶手段に格納し、前記記憶手段に格納したＨＴＭＬファイルのＵＲＬを設定し、前記コンテンツ送信手段が、前記コンテンツ作成手段により設定されたＵＲＬを前記携帯端末へ送信し、前記ＵＲＬに対するユーザの操作に伴って前記携帯端末から送信要求を受信し、前記送信要求が示すＨＴＭＬファイルを前記記憶手段から読み出して前記携帯端末へ送信することを特徴とする。
【００１３】
また、本発明によるサイネージ検索サーバは、さらに、前記サイネージサーバがコンテンツ情報を表示装置へ配信する前に、前記表示装置の位置情報、前記コンテンツ情報を識別するためのコンテンツＩＤ、前記コンテンツ情報が表示装置の画面に表示される表示開始時間、及び前記サイネージサーバに格納されているコンテンツ情報の所在を示すコンテンツ所在情報を受信し、サイネージＤＢとして記憶手段に格納するサイネージＤＢ更新手段を備え、前記サイネージ検索手段が、前記サイネージＤＢから表示装置の位置情報を読み出し、前記携帯端末の位置情報と、前記表示装置の位置情報とに基づいて、前記携帯端末から所定範囲内に設置された表示装置を特定し、前記サイネージＤＢからコンテンツＩＤを読み出して前記表示装置に表示されたコンテンツ情報を特定し、表示開始位置設定手段が、前記サイネージＤＢから表示開始時間を読み出し、前記アクセス時間及び前記表示開始時間に基づいて、前記携帯端末の画面にコンテンツ情報が表示される際の表示開始位置を設定し、前記コンテンツ作成手段が、前記サイネージＤＢからコンテンツ所在情報を読み出し、前記続きのコンテンツ情報の送信を要求する送信要求を前記コンテンツＩＤ及び表示開始位置と共に、前記コンテンツ所在情報が示すサイネージサーバへ送信し、前記サイネージサーバから前記送信要求に対する続きのコンテンツ情報を受信し、ＨＴＭＬファイルを作成することを特徴とする。
【００１４】
また、本発明によるサイネージ検索方法は、コンテンツ情報を配信するサイネージサーバと、前記コンテンツ情報を受信して画面に表示する表示装置と、ユーザにより所持されている携帯端末と、サイネージ検索サーバとにより構成されたシステムにおける前記サイネージ検索サーバが、前記表示装置に表示されたコンテンツ情報を特定し、前記サイネージサーバから前記コンテンツ情報を受信し、前記携帯端末へ送信して画面に表示させるサイネージ検索方法であって、前記表示装置の画面を見たユーザによる前記携帯端末への操作に伴って、前記携帯端末から前記携帯端末の位置情報を受信するステップと、前記携帯端末の位置情報を受信した時間を、アクセス時間として設定するステップと、前記携帯端末の位置情報と前記表示装置の位置情報とに基づいて、前記携帯端末から所定範囲内に設置された表示装置を特定し、前記表示装置に表示されたコンテンツ情報を特定するステップと、前記アクセス時間に基づいて、前記携帯端末の画面にコンテンツ情報を表示する際の表示を開始する時間位置を示す表示開始位置を設定するステップと、前記表示開始位置以降のコンテンツ情報を、前記表示装置の画面に表示されていたコンテンツ情報の続きとして、前記位置情報を送信してきた携帯端末の画面に表示させるステップと、を有することを特徴とする。
【００１５】
また、本発明によるサイネージ検索プログラムは、前記サイネージ検索方法をコンピュータに実行させることを特徴とする。
【発明の効果】
【００１６】
以上のように、本発明によれば、ユーザが所持している携帯端末の位置情報を利用し、表示装置に表示された情報と携帯端末へ表示する情報とを連係させることができ、シームレスな表示を実現することが可能となる。したがって、ユーザは、表示装置に表示された情報に興味を示した場合、表示装置から移動して離れたときであっても、携帯端末への操作によって、表示装置に表示された情報の続きを携帯端末の画面から取得することができる。つまり、本発明によれば、情報による広告メッセージをユーザへ的確に伝達することができ、ユーザに対し、所望する広告の内容を効率的に認識させ、広告の提供者に対し、デジタルサイネージによる広告表示よりも、宣伝広告効果を一層高めることが可能となる。
【図面の簡単な説明】
【００１７】
【図１】本発明の実施形態によるサイネージ検索サーバを含むシステムの構成を示す概略図である。
【図２】本発明の実施形態の概要を説明する図である。
【図３】本発明の実施形態によるサイネージ検索サーバの構成を示すブロック図である。
【図４】ユーザＤＢ（データベース）の構成を示す図である。
【図５】サイネージＤＢの構成を示す図である。
【図６】コンテンツＤＢの構成を示す図である。
【図７】サイネージサーバ、表示装置、携帯端末及びサイネージ検索サーバの間で送受信される情報の流れを示すシーケンス図である。
【図８】位置情報受付手段の処理を説明するフローチャートである。
【図９】サイネージ検索手段の処理を説明するフローチャートである。
【図１０】表示開始位置設定手段の処理を説明するフローチャートである。
【図１１】コンテンツ作成手段の処理を説明するフローチャートである。
【図１２】コンテンツ送信手段の処理を説明するフローチャートである。
【図１３】サイネージＤＢ更新手段の処理を説明するフローチャートである。
【発明を実施するための形態】
【００１８】
以下、本発明を実施するための形態について図面を用いて詳細に説明する。
〔システム〕
まず、本発明の実施形態によるサイネージ検索サーバを含むシステム及び本発明の実施形態の概要について説明する。図１は、システムの構成を示す概略図である。このシステムは、サイネージ検索サーバ１、携帯端末２、表示装置３及びサイネージサーバ４を備えて構成される。サイネージ検索サーバ１、表示装置３及びサイネージサーバ４は、インターネット等のネットワーク５に接続され、携帯端末２も携帯端末会社のサーバ（図示せず）を介してネットワーク５に接続される。
【００１９】
図２は、本発明の実施形態の概要を説明する図である。本発明の実施形態では、広告を表示する表示装置３がビルの外壁に設置されており、携帯端末２を所持するユーザが、表示装置３に表示された広告を歩きながら見ている（図２（１））。そして、ユーザがその広告に興味を示した場合、その広告の続きを携帯端末２に表示させるための操作を行う（図２（２））。この操作によって、携帯端末２の画面には、表示装置３に表示された広告の続きが表示される（図２（３））。これにより、ユーザは、表示装置３から離れた場合であっても、表示装置３に表示された広告の続きを、携帯端末２の画面にてシームレスに見ることができる。
【００２０】
図１に戻って、サイネージ検索サーバ１は、表示装置３に表示される広告に関する情報（表示コンテンツ関連情報）をサイネージサーバ４から前もって受信し、記憶手段に記憶する。表示装置３に表示された広告を見ているユーザが、広告の続きを表示するための操作を携帯端末２に対して行うと、サイネージ検索サーバ１は、携帯端末２から表示要求を受信する。そうすると、サイネージ検索サーバ１は、広告のコンテンツ情報を表示装置３へ配信したサイネージサーバ４へ送信要求を送信し、続きのコンテンツ情報を受信する。そして、サイネージ検索サーバ１は、受信した続きのコンテンツ情報に基づいてＨＴＭＬ（Ｈｙｐｅｒ  Ｔｅｘｔ  Ｍａｒｋｕｐ  Ｌａｎｇｕａｇｅ）ファイル（ウェブページ）を作成し、ＨＴＭＬファイルを携帯端末２へ送信する。携帯端末２はＨＴＭＬファイルを受信して画面に表示することにより、ユーザは、表示装置３に表示された広告の続きをシームレスに見ることができる。
【００２１】
携帯端末２は、例えば携帯電話等のユーザ端末である。携帯端末２は、ＧＰＳ（Ｇｌｏｂａｌ  Ｐｏｓｉｔｉｏｎｉｎｇ  Ｓｙｓｔｅｍ：全地球測位システム）を用いて定期的に自らの現在の位置情報（緯度及び経度）を取得する。また、ユーザが広告の続きを表示するための操作を行うと、携帯端末２は、表示要求と共に、携帯端末２の製造番号及び位置情報をサイネージ検索サーバ１へ送信する。
【００２２】
表示装置３は、例えばビルの外壁、店舗内等に設置される装置であり、サイネージサーバ４から広告のコンテンツ情報を受信して表示する。サイネージサーバ４は、表示装置３に表示するための広告のコンテンツ情報を記憶装置に格納しており、予め設定された時間になると、表示装置３に広告を表示するために、コンテンツ情報を記憶装置から読み出し、表示装置３へ配信する。また、サイネージサーバ４は、広告のコンテンツ情報を表示装置３へ配信する直前に、その広告に関するコンテンツＩＤ等の表示コンテンツ関連情報をサイネージ検索サーバ１へ送信する。また、サイネージサーバ４は、続きのコンテンツ情報の送信要求をサイネージ検索サーバ１から受信し、続きのコンテンツ情報を記憶装置から読み出し、サイネージ検索サーバ１へ送信する。
【００２３】
尚、図１に示したシステムでは、説明の都合上、１台の表示装置３及び１台のサイネージサーバ４が示されているが、実際にはそれぞれ複数台存在する。また、１台の携帯端末２が示されているが、実際には本サービスの提供を受ける複数台の携帯端末２が存在する。
【００２４】
〔サイネージ検索サーバの構成〕
次に、図１に示したサイネージ検索サーバ１の構成について説明する。図３は、サイネージ検索サーバ１の構成を示すブロック図である。このサイネージ検索サーバ１は、位置情報受付手段１１、サイネージ検索手段１２、表示開始位置設定手段１３、コンテンツ作成手段１４、コンテンツ送信手段１５、サイネージＤＢ更新手段１６、ユーザＤＢ１０１、サイネージＤＢ１０２及びコンテンツＤＢ１０３を備えている。ユーザＤＢ１０１、サイネージＤＢ１０２及びコンテンツＤＢ１０３は、ＨＤ（ハードディスク）等の記憶手段に格納される。
【００２５】
位置情報受付手段１１は、ユーザによる携帯端末２への表示要求の操作に伴って、携帯端末２から表示要求と共に携帯端末２の製造番号及び位置情報を受信し、処理番号、携帯端末２の製造番号、位置情報及びアクセス時間をユーザＤＢ１０１に格納する。処理番号は、携帯端末２からの表示要求に対する処理の番号であり、表示要求毎に設定される。アクセス時間は、携帯端末２から表示要求を受信したときの受付時間（年、月、日、時、分、秒）である。また、位置情報受付手段１１は、処理要求をサイネージ検索手段１２に出力する。
【００２６】
図４は、ユーザＤＢ１０１の構成を示す図である。ユーザＤＢ１０１は、処理番号、携帯端末２の製造番号（携帯端末製造番号）、携帯端末２の位置情報（携帯端末位置情報）及びアクセス時間の各情報により構成される。これらの情報は位置情報受付手段１１により格納される。尚、携帯端末２の製造番号の代わりに、携帯端末２の電話番号を用いるようにしてもよく、この情報は携帯端末２を特定するための識別情報であればよい。この場合、位置情報受付手段１１は、携帯端末２から、携帯端末２の製造番号の代わりに電話番号等の識別情報を受信し、ユーザＤＢ１０１に格納する。
【００２７】
図３に戻って、サイネージ検索手段１２は、位置情報受付手段１１から処理要求を入力し、その処理要求についての携帯端末位置情報をユーザＤＢ１０１から読み出し、サイネージＤＢ１０２から全ての表示装置位置情報（表示装置３が設置されている位置（緯度及び経度）を示す情報）を読み出す。また、携帯端末位置情報及び表示装置位置情報に基づいて、携帯端末２から所定範囲内に設置された表示装置３を特定し、サイネージＤＢ１０２に格納された情報に基づいて、その表示装置３に表示されているコンテンツ（コンテンツＩＤ）を特定する。また、処理要求を表示開始位置設定手段１３に出力する。
【００２８】
図５は、サイネージＤＢ１０２の構成を示す図である。サイネージＤＢ１０２は、表示装置位置情報、表示装置３が設置されているビルの住所（表示装置住所）、そのビル名（表示装置ビル名）、表示装置３に表示されるコンテンツの識別子（コンテンツＩＤ）、広告名（コンテンツ名称）、サイネージサーバ４から表示装置３へ広告のコンテンツ情報を送信して表示装置３がコンテンツ情報を表示する時間（コンテンツ開始時間）、及びそのコンテンツが格納されているサイネージサーバ４のＩＰアドレス（コンテンツ所在情報）の各情報により構成される。これらの情報は、表示装置３に現在表示されているコンテンツ情報に関するものであり、サイネージＤＢ更新手段１６により更新される。
【００２９】
図３に戻って、表示開始位置設定手段１３は、サイネージ検索手段１２から処理要求を入力し、その処理要求についてのアクセス時間をユーザＤＢ１０１から読み出し、その処理要求についてのコンテンツ開始時間をサイネージＤＢ１０２から読み出し、アクセス時間及びコンテンツ開始時間に基づいて、コンテンツ情報全体のうちの、続きの再生位置を示す表示開始位置（例えば、映像及び音声ファイルにおけるフレーム番号、ファイルを構成する情報の始めを基点としたタイムコード）を設定する。この表示開始位置は、ユーザが表示装置３より目を離して移動したときから、続きのコンテンツ情報が携帯端末２に表示されるまでの間の時間を考慮して、ユーザが表示装置３より目を離した時点の広告が携帯端末２に表示されるように設定される。また、表示開始位置設定手段１３は、処理要求を表示開始位置と共にコンテンツ作成手段１４に出力する。
【００３０】
コンテンツ作成手段１４は、表示開始位置設定手段１３から処理要求を入力し、その処理要求についてのコンテンツ所在情報をサイネージＤＢ１０２から読み出す。また、その処理要求についての表示開始位置以降のコンテンツ情報（続きのコンテンツ情報）を送信するための送信要求を、コンテンツ所在情報が示すサイネージサーバ４へ送信する。そして、コンテンツ作成手段１４は、サイネージサーバ４から続きのコンテンツ情報を受信し、ＨＴＭＬファイルを作成してコンテンツＤＢ１０３に格納する。このとき、コンテンツＤＢ１０３に格納したＨＴＭＬファイルに対し、ＵＲＬ（Ｕｎｉｆｏｒｍ  Ｒｅｓｏｕｒｃｅ  Ｌｏｃａｔｏｒ）を設定する。コンテンツ作成手段１４は、処理要求をコンテンツ送信手段１５に出力する。
【００３１】
図６は、コンテンツＤＢ１０３の構成を示す図である。コンテンツＤＢ１０３は、表示装置位置情報、コンテンツＩＤ、及び、続きのコンテンツ情報に関するＨＴＭＬファイルの各情報により構成される。これらの情報はコンテンツ作成手段１４により格納される。尚、サイネージＤＢ１０２に格納されたＨＴＭＬファイルのそれぞれには、コンテンツ作成手段１４によってＵＲＬが設定されており、ＨＴＭＬファイルは、携帯端末２によるＵＲＬの指定に伴う送信要求によってサイネージＤＢ１０２から読み出される。したがって、コンテンツＤＢ１０３における表示位置情報及びコンテンツＩＤは、必ずしも必要ではない。
【００３２】
図３に戻って、コンテンツ送信手段１５は、コンテンツ作成手段１４から処理要求を入力し、その処理要求についてのコンテンツ名称等をサイネージＤＢ１０２から読み出す。また、コンテンツ名称、コンテンツ作成手段１４により設定されたＵＲＬ（処理要求についてのＨＴＭＬファイルに対するＵＲＬ）等を、表示要求を送信してきた携帯端末２へ送信する。これにより、携帯端末２の画面には、コンテンツ名称等が表示され、そのコンテンツ名称等に対してＵＲＬが埋め込まれる。
【００３３】
携帯端末２に対するユーザの操作によりコンテンツ名称等が指定されると、携帯端末２は、指定されたコンテンツ名称等に対して埋め込まれたＵＲＬにより、ＨＴＭＬファイルの送信を要求するための送信要求をサイネージ検索サーバ１へ送信する。コンテンツ送信手段１５は、携帯端末２から送信要求を受信し、その送信要求が示すＨＴＭＬファイルをコンテンツＤＢ１０３から読み出し、携帯端末２へ送信する。
【００３４】
サイネージＤＢ更新手段１６は、サイネージサーバ４から表示コンテンツ関連情報を受信し、サイネージＤＢ１０２に格納する。表示コンテンツ関連情報は、サイネージＤＢ１０２を構成する各情報（表示位置情報、表示装置住所、表示装置ビル名、コンテンツＩＤ、コンテンツ名称、コンテンツ開始時間及びコンテンツ所在情報）である。ここで、サイネージサーバ４は、広告のコンテンツ情報を表示装置３へ配信する直前に、その広告に関する表示コンテンツ関連情報をサイネージ検索サーバ１へ送信する。サイネージＤＢ更新手段１６は、受信した表示コンテンツ関連情報をサイネージＤＢ１０２に格納することにより、サイネージＤＢ１０２を更新する。したがって、サイネージＤＢ１０２には、表示装置３に現在表示されている広告に関する表示コンテンツ関連情報が格納されることになる。
【００３５】
〔情報の流れ〕
次に、図１に示したシステムを構成するサイネージ検索サーバ１、携帯端末２、表示装置３及びサイネージサーバ４の間で送受信される情報の流れについて説明する。図７は、情報の流れを示すシーケンス図である。
【００３６】
サイネージサーバ４は、広告のコンテンツ情報を表示装置３へ配信する直前に、その広告に関する表示コンテンツ関連情報（表示位置情報、表示装置住所、表示装置ビル名、コンテンツＩＤ、コンテンツ名称、コンテンツ開始時間及びコンテンツ所在情報）をサイネージ検索サーバ１へ送信する（ステップＳ７０１）。サイネージ検索サーバ１は、表示コンテンツ関連情報を受信すると、サイネージＤＢ１０２に格納する。これにより、サイネージＤＢ１０２は更新され、表示装置３に現在表示されている広告に関する表示コンテンツ関連情報が格納される。
【００３７】
サイネージサーバ４は、所定時間になると、広告のコンテンツ情報を表示装置３へ配信する（ステップＳ７０２）。表示装置３は、広告のコンテンツ情報を受信し画面に表示する。ユーザが表示装置３の広告を見て興味を示し、携帯端末２を操作すると、携帯端末２は、表示要求と共に携帯端末２の製造番号及び位置情報をサイネージ検索サーバ１へ送信する（ステップＳ７０３）。サイネージ検索サーバ１は、処理番号、携帯端末２の製造番号、位置情報及びアクセス時間をユーザＤＢ１０１に格納する。
【００３８】
サイネージ検索サーバ１は、ユーザＤＢ１０１に格納された携帯端末位置情報及びサイネージＤＢ１０２に格納された表示装置位置情報に基づいて、携帯端末２から所定範囲内の表示装置３を特定し、コンテンツ（コンテンツＩＤ）を特定する。そして、サイネージ検索サーバ１は、ユーザＤＢ１０１に格納されたアクセス時間及びサイネージＤＢ１０２に格納されたコンテンツ開始時間に基づいて、コンテンツ情報の続きの再生位置を示す表示開始位置を設定し、続きのコンテンツ情報を受信するための送信要求をサイネージサーバ４へ送信し（ステップＳ７０４）、サイネージサーバ４から続きのコンテンツ情報を受信する（ステップＳ７０５）。
【００３９】
サイネージ検索サーバ１は、受信した続きのコンテンツ情報に基づいてＨＴＭＬファイルを作成し、コンテンツＤＢ１０３に格納する。このとき、コンテンツＤＢ１０３に格納したＨＴＭＬファイルに対してＵＲＬを設定する。そして、サイネージ検索サーバ１は、サイネージＤＢ１０２に格納された表示装置住所、表示装置ビル名及びコンテンツ名称をＵＲＬと共に携帯端末２へ送信する（ステップＳ７０６）。
【００４０】
携帯端末２に対するユーザの操作によりコンテンツ名称等が指定されると、携帯端末２は、ＵＲＬにより、ＨＴＭＬファイルの送信を要求するための送信要求をサイネージ検索サーバ１へ送信する（ステップＳ７０７）。サイネージ検索サーバ１は、携帯端末２から送信要求を受信し、その送信要求が示すＨＴＭＬファイルをコンテンツＤＢ１０３から読み出し、携帯端末２へ送信する（ステップＳ７０８）。
【００４１】
〔位置情報受付手段の処理〕
次に、図３に示したサイネージ検索サーバ１における位置情報受付手段１１の処理について詳細に説明する。図８は、位置情報受付手段１１の処理を説明するフローチャートである。位置情報受付手段１１は、携帯端末２から表示要求を受信したか否かを判定する（ステップＳ８０１）。表示要求を受信したと判定した場合（ステップＳ８０１：Ｙ）、ステップＳ８０２へ移行し、表示要求を受信しないと判定した場合（ステップＳ８０１：Ｎ）、表示要求を受信するまで待つ。
【００４２】
位置情報受付手段１１は、ステップＳ８０１から移行して、表示要求の受信と共に携帯端末２の製造番号及び位置情報を受信する（ステップＳ８０２）。そして、表示要求を受信したときの時刻を、サイネージ検索サーバ１に備えた時計タイマから取得し、アクセス時間として設定し、表示要求毎に異なる処理番号を設定し、処理番号、携帯端末２の製造番号、位置情報及びアクセス時間をユーザＤＢ１０１に格納する（ステップＳ８０３）。そして、処理要求をサイネージ検索手段１２に出力する（ステップＳ８０４）。
【００４３】
〔サイネージ検索手段の処理〕
次に、図３に示したサイネージ検索手段１２の処理について詳細に説明する。図９は、サイネージ検索手段１２の処理を説明するフローチャートである。サイネージ検索手段１２は、位置情報受付手段１１から処理要求を入力したか否かを判定する（ステップＳ９０１）。処理要求を入力したと判定した場合（ステップＳ９０１：Ｙ）、ステップＳ９０２へ移行し、処理要求を入力しないと判定した場合（ステップＳ９０１：Ｎ）、処理要求を入力するまで待つ。
【００４４】
サイネージ検索手段１２は、ステップＳ９０１から移行して、その処理要求についての携帯端末位置情報をユーザＤＢ１０１から読み出す（ステップＳ９０２）。具体的には、サイネージ検索手段１２は、その処理要求についての処理番号をキーとしてユーザＤＢ１０１を検索し、携帯端末位置情報を読み出す。尚、サイネージ検索手段１２は、位置情報受付手段１１から処理要求と共に携帯端末位置情報を直接入力するようにしてもよい。
【００４５】
サイネージ検索手段１２は、全ての表示装置位置情報をサイネージＤＢ１０２から読み出す（ステップＳ９０３）。サイネージ検索手段１２は、ステップＳ９０２にて読み出した携帯端末位置情報と、ステップＳ９０３にて読み出した表示装置位置情報とを比較し、携帯端末２の位置から所定範囲内に設置された表示装置３を特定する。具体的には、サイネージ検索手段１２は、携帯端末２の緯度及び経度と表示装置３の緯度及び経度とから、携帯端末２と表示装置３との間の距離を算出し、その距離が設定距離以下であるか否かを判定する。算出した距離が設定距離以下である場合、その表示装置３は携帯端末２の位置から所定範囲内に設置されているものとして、その表示装置３を、ユーザが広告を見ていた表示装置３の候補として特定する。所定範囲を定める設定距離は、予め設定されているものとする。
【００４６】
サイネージ検索手段１２は、特定した表示装置３の表示装置位置情報をキーとしてサイネージＤＢ１０２を検索し、コンテンツＩＤを読み出し、コンテンツＩＤを特定する（ステップＳ９０４）。これにより、ユーザが表示装置３にて見ていたであろうコンテンツの候補が特定される。そして、サイネージ検索手段１２は、処理要求を表示開始位置設定手段１３に出力する（ステップＳ９０５）。
【００４７】
尚、サイネージ検索手段１２は、ステップＳ９０４において、複数の表示装置３を候補として特定し、これらに対応する複数のコンテンツＩＤを特定することもあり得る。この場合、ユーザが表示装置３を見ていたであろうコンテンツの候補として、複数のコンテンツが特定される。
【００４８】
〔表示開始位置設定手段の処理〕
次に、図３に示した表示開始位置設定手段１３の処理について詳細に説明する。図１０は、表示開始位置設定手段１３の処理を説明するフローチャートである。表示開始位置設定手段１３は、サイネージ検索手段１２から処理要求を入力したか否かを判定する（ステップＳ１００１）。処理要求を入力したと判定した場合（ステップＳ１００１：Ｙ）、ステップＳ１００２へ移行し、処理要求を入力しないと判定した場合（ステップＳ１００１：Ｎ）、処理要求を入力するまで待つ。
【００４９】
表示開始位置設定手段１３は、ステップＳ１００１から移行して、その処理要求についてのアクセス時間をユーザＤＢ１０１から読み出し、その処理要求についてのコンテンツ開始時間をサイネージＤＢ１０２から読み出す（ステップＳ１００２）。具体的には、表示開始位置設定手段１３は、その処理要求についての処理番号をキーとしてユーザＤＢ１０１を検索し、アクセス時間を読み出す。また、表示開始位置設定手段１３は、サイネージ検索手段１２から、特定した表示装置３の表示装置位置情報及びコンテンツＩＤを入力し、表示装置位置情報及びコンテンツＩＤをキーとしてサイネージＤＢ１０２を検索し、コンテンツ開始時間を読み出す。尚、表示開始位置設定手段１３は、位置情報受付手段１１からアクセス時間を直接入力するようにしてもよい。また、サイネージ検索手段１２は、表示装置３を特定した際に、サイネージＤＢ１０２からコンテンツ開始時間を読み出しておき、表示開始位置設定手段１３は、サイネージ検索手段１２からコンテンツ開始時間を直接入力するようにしてもよい。
【００５０】
表示開始位置設定手段１３は、アクセス時間からコンテンツ開始時間を減算し、減算結果の時間（コンテンツ表示が開始した時点からの経過時間）から所定時間αを減算し、この減算結果の時間（コンテンツ表示が開始した時点からの経過時間よりも所定時間αだけ前の時間）を表示開始位置として設定する（ステップＳ１００３）。表示開始位置は、コンテンツ情報全体に対して最初の時間位置を基準にした時間位置情報である。この場合、アクセス時間からコンテンツ開始時間を減算した結果の時間を、表示開始位置として設定するようにしてもよい。所定時間αは、ユーザが表示装置３から目を離して移動し、携帯端末２を操作してサイネージ検索サーバ１がアクセス時間を設定するまでの間の時間であることが理想的である。
【００５１】
尚、所定時間αは、ユーザ共通の時間ではなく、ユーザに応じて設定しておくようにしてもよい。例えば、携帯端末２の製造番号と所定時間αとを対応させた情報をＤＢに予め格納しておき、携帯端末２の製造番号をキーにして所定時間αをＤＢから読み出して用いるようにしてもよい。また、携帯端末２の製造番号とユーザの年齢とを対応させた情報をＤＢに予め格納しておき、携帯端末２の製造番号をキーにしてユーザの年齢をＤＢから読み出し、年齢が高いほど大きな値になるように所定時間αを設定するようにしてもよい。例えばユーザが高齢者の場合は、携帯端末２の操作に多くの時間がかかってしまう。この操作時間を考慮して所定時間αが設定されるから、表示開始位置は、ユーザの年齢に応じた適切な位置に設定されることになる。
【００５２】
これにより、表示開始位置以降のコンテンツ情報（続きのコンテンツ情報）が携帯端末２に表示されるから、ユーザは、表示装置３にて表示された広告の続きを、携帯端末２の画面にてシームレスに見ることができる。そして、表示開始位置設定手段１３は、処理要求をコンテンツ作成手段１４に出力する（ステップＳ１００４）。
【００５３】
〔コンテンツ作成手段の処理〕
次に、図３に示したコンテンツ作成手段１４の処理について詳細に説明する。図１１は、コンテンツ作成手段１４の処理を説明するフローチャートである。コンテンツ作成手段１４は、表示開始位置設定手段１３から処理要求を入力したか否かを判定する（ステップＳ１１０１）。処理要求を入力したと判定した場合（ステップＳ１１０１：Ｙ）、ステップＳ１１０２へ移行し、処理要求を入力しないと判定した場合（ステップＳ１１０１：Ｎ）、処理要求を入力するまで待つ。
【００５４】
コンテンツ作成手段１４は、ステップＳ１１０１から移行して、その処理要求についてのコンテンツ所在情報をサイネージＤＢ１０２から読み出す（ステップＳ１１０２）。具体的には、コンテンツ作成手段１４は、図９のステップＳ９０４にて特定した表示装置３の位置情報（表示装置位置情報）及びコンテンツＩＤをサイネージ検索手段１２から入力し、表示装置位置情報及びコンテンツＩＤをキーとしてサイネージＤＢ１０２を検索し、コンテンツ所在情報を読み出す。尚、コンテンツ作成手段１４は、サイネージ検索手段１２からコンテンツ所在情報を直接入力するようにしてもよい。
【００５５】
コンテンツ作成手段１４は、コンテンツ所在情報が示す宛先であるサイネージサーバ４へ、その処理要求についての続きのコンテンツ情報を受信するための送信要求を送信する（ステップＳ１１０３）。この場合、コンテンツ作成手段１４は、表示開始位置設定手段１３から処理要求と共に表示開始位置を入力し、表示開始位置及びコンテンツＩＤを、送信要求に付加して送信する。
【００５６】
サイネージサーバ４は、表示開始位置及びコンテンツＩＤと共に送信要求を受信すると、コンテンツＩＤのコンテンツについて、表示開始位置以降のコンテンツ情報（続きのコンテンツ情報）を記憶手段から読み出し、サイネージ検索サーバ１へ送信する。
【００５７】
コンテンツ作成手段１４は、サイネージサーバ４から続きのコンテンツ情報を受信する（ステップＳ１１０４）。そして、受信した続きのコンテンツ情報を携帯端末２の画面に表示するためのＨＴＭＬファイルを作成し（ステップＳ１１０５）、ＵＲＬを設定してＨＴＭＬファイルをコンテンツＤＢ１０３に格納する（ステップＳ１１０６）。そして、処理要求をコンテンツ送信手段１５に出力する（ステップＳ１１０７）。
【００５８】
尚、サイネージ検索手段１２が、ステップＳ９０４において、複数の表示装置３及び複数のコンテンツＩＤを特定し、ユーザが表示装置３にて見ていたであろうコンテンツの候補として、複数のコンテンツが特定された場合には、コンテンツ作成手段１４は、ステップＳ１１０２〜Ｓ１１０６の処理を、候補となったコンテンツ毎に行う。これにより、ユーザが表示装置３にて見ていたであろうコンテンツの候補毎にＵＲＬが設定され、コンテンツの候補毎にＨＴＭＬファイルがコンテンツＤＢ１０３に格納される。
【００５９】
〔コンテンツ送信手段の処理〕
次に、図３に示したコンテンツ送信手段１５の処理について詳細に説明する。図１２は、コンテンツ送信手段１５の処理を説明するフローチャートである。コンテンツ送信手段１５は、コンテンツ作成手段１４から処理要求を入力したか否かを判定する（ステップＳ１２０１）。処理要求を入力したと判定した場合（ステップＳ１２０１：Ｙ）、ステップＳ１２０２へ移行し、処理要求を入力しないと判定した場合（ステップＳ１２０１：Ｎ）、処理要求を入力するまで待つ。
【００６０】
コンテンツ送信手段１５は、ステップＳ１２０１から移行して、その処理要求についてのコンテンツ名称等をサイネージＤＢ１０２から読み出す（ステップＳ１２０２）。具体的には、コンテンツ送信手段１５は、図９のステップＳ９０３にて特定した表示装置３の位置情報（表示装置位置情報）及びコンテンツＩＤをサイネージ検索手段１２から入力し、表示装置位置情報及びコンテンツＩＤをキーとしてサイネージＤＢ１０２を検索し、コンテンツ名称、表示装置住所及び表示装置ビル名を読み出す。
【００６１】
コンテンツ送信手段１５は、その処理要求についてのＵＲＬ及びコンテンツ名称等を携帯端末２へ送信する（ステップＳ１２０３）。具体的には、コンテンツ送信手段１５は、コンテンツ作成手段１４により設定された、その処理要求についてのＵＲＬをコンテンツ作成手段１４から入力し、ＵＲＬ、コンテンツ名称、表示装置住所及び表示装置ビル名を携帯端末２へ送信する。
【００６２】
携帯端末２は、サイネージ検索サーバ１からＵＲＬ、コンテンツ名称、表示装置住所及び表示装置ビル名を受信すると、コンテンツ名称等を画面に表示し、そのコンテンツ名称等に対してＵＲＬが埋め込まれる。携帯端末２に対するユーザの操作によりコンテンツ名称等が指定されると、携帯端末２は、指定されたコンテンツ名称等に埋め込まれたＵＲＬにより、ＨＴＭＬファイルの送信を要求するための送信要求をサイネージ検索サーバ１へ送信する。
【００６３】
コンテンツ送信手段１５は、携帯端末２から送信要求を受信する（ステップＳ１２０４）。そして、その送信要求が示すＨＴＭＬファイルをコンテンツＤＢ１０３から読み出し（ステップＳ１２０５）、携帯端末２へ送信する（ステップＳ１２０６）。これにより、携帯端末２の画面にはＨＴＭＬファイルの情報が表示され、ユーザは、表示装置３に表示された広告の続きを見ることができる。
【００６４】
尚、サイネージ検索手段１２によって、ユーザが表示装置３にて見ていたであろうコンテンツの候補として複数のコンテンツが特定された場合には、コンテンツ送信手段１５は、ステップＳ１２０２，Ｓ１２０３の処理を、候補となったコンテンツ毎に行う。これにより、携帯端末２の画面には、候補となったコンテンツ毎に、コンテンツ名称等が表示される。例えば、携帯端末２の画面に複数のコンテンツ名称が表示された場合、ユーザは、コンテンツ名称と実際に見ていた広告とを対応付けることができるから、複数のコンテンツ名称の中から、実際に見ていた広告のコンテンツを指定することができる。また、携帯端末２の画面に表示装置３が設置されている住所（表示装置住所）または表示装置３が設置されているビル名（表示装置ビル名）が表示された場合、ユーザは、実際に広告を見ていた表示装置３の所在場所を確認することによって、コンテンツを指定することができる。したがって、コンテンツ送信手段１５は、ステップＳ１２０４において、ユーザによって複数のコンテンツ候補の中から指定されたコンテンツの送信要求を携帯端末２から受信し、ステップＳ１２０５，Ｓ１２０６において、指定された住所等に埋め込まれたＵＲＬによって、送信要求が示すＨＴＭＬファイルをコンテンツＤＢ１０３から読み出し、携帯端末２へ送信する。これにより、ユーザは、複数のコンテンツ候補の中から指定したコンテンツについて、表示装置３に表示された広告の続きを見ることができる。
【００６５】
また、コンテンツ送信手段１５は、ステップＳ１２０３において、コンテンツ名称等の代わりに、表示装置３が設置されている住所（表示装置住所）にマークを付した周辺地図を携帯端末２へ送信するようにしてもよい。この場合、ユーザは、携帯端末２の画面に表示された地図によってコンテンツを指定する。これにより、ユーザは、表示装置３にて実際に見ていた広告のコンテンツを、複数のコンテンツ候補の中から容易に指定することができる。
【００６６】
〔サイネージＤＢ更新手段の処理〕
次に、図３に示したサイネージＤＢ更新手段１６の処理について詳細に説明する。図１３は、サイネージＤＢ更新手段１６の処理を説明するフローチャートである。サイネージＤＢ更新手段１６は、サイネージサーバ４から表示コンテンツ関連情報（表示位置情報、表示装置住所、表示装置ビル名、コンテンツＩＤ、コンテンツ名称、コンテンツ開始時間及びコンテンツ所在情報）を受信したか否かを判定する（ステップＳ１３０１）。表示コンテンツ関連情報を受信したと判定した場合（ステップＳ１３０１：Ｙ）、ステップＳ１３０２へ移行し、表示コンテンツ関連情報を受信しないと判定した場合（ステップＳ１３０１：Ｎ）、受信するまで待つ。
【００６７】
サイネージＤＢ更新手段１６は、ステップＳ１３０１から移行して、受信した表示コンテンツ関連情報をサイネージＤＢ１０２に格納する（ステップＳ１３０２）。この場合、サイネージＤＢ更新手段１６は、表示コンテンツ関連情報をサイネージＤＢ１０２に格納する際に、同一の表示装置位置情報、表示装置住所及び表示装置ビル名が格納されている場合は、そのレコードに、表示位置情報、表示装置住所、表示装置ビル名、コンテンツＩＤ、コンテンツ名称、コンテンツ開始時間及びコンテンツ所在情報を上書きして格納する。これにより、サイネージＤＢ１０２が更新される。
【００６８】
前述のとおり、サイネージサーバ４は、広告のコンテンツ情報を表示装置３へ配信する直前に、すなわち、表示装置３に広告が表示される直前に、その広告に関する表示コンテンツ関連情報をサイネージ検索サーバ１へ送信する。これにより、サイネージＤＢ１０２には、表示装置３に広告が表示される前に、その広告に関する表示コンテンツ関連情報が格納される。したがって、ユーザが表示装置３に表示された広告を見て携帯端末２を操作するときは、サイネージＤＢ１０２には、既にその広告に関する表示コンテンツ関連情報が格納されているから、サイネージ検索サーバ１は、ユーザによる携帯端末２への操作に従って、表示装置３に現在表示されている広告について、続きのコンテンツ情報を携帯端末２へ送信することができる。
【００６９】
以上のように、本発明の実施形態によるサイネージ検索サーバ１によれば、位置情報受付手段１１が、携帯端末２から携帯端末２の位置情報（携帯端末位置情報）と共に表示要求を受信し、サイネージ検索手段１２が、携帯端末位置情報と、サイネージＤＢ１０２に格納された表示装置位置情報（表示装置３の位置情報）とを比較し、ユーザが見ていたと想定される表示装置３を特定し、表示装置３に表示されているコンテンツ（コンテンツＩＤ）を特定し、表示開始位置設定手段１３が、携帯端末２から表示要求を受信したアクセス時間から所定時間αを減算して、続きのコンテンツ情報の再生開始位置を示す表示開始位置を設定するようにした。また、コンテンツ作成手段１４が、続きのコンテンツ情報を、サイネージＤＢ１０２に格納されたコンテンツ所在情報が示すサイネージサーバ４から受信し、ＨＴＭＬファイルを作成してコンテンツＤＢ１０３に格納すると共に、ＵＲＬを設定するようにした。また、コンテンツ送信手段１５が、サイネージＤＢ１０２に格納されたコンテンツ名称等をＵＲＬと共に携帯端末２へ送信し、携帯端末２から送信要求を受信し、コンテンツＤＢ１０３に格納されたＨＴＭＬファイルを携帯端末２へ送信するようにした。
【００７０】
これにより、ユーザが所持している携帯端末２の位置情報を利用し、表示装置に表示された情報と携帯端末へ表示する情報とを連係させることができ、シームレスな表示を実現することが可能となる。したがって、ユーザは、表示装置３に表示されたコンテンツ情報に興味を示した場合、表示装置３から移動して離れたときであっても、携帯端末２への操作によって、表示装置３に表示されたコンテンツ情報の続きを携帯端末２の画面から取得することができる。つまり、情報による広告メッセージをユーザへ的確に伝達することができ、ユーザに対し、所望する広告の内容を正確に認識させ、広告の提供者に対し、デジタルサイネージによる広告表示よりも、宣伝広告効果を一層高めることが可能となる。
【００７１】
次に、本発明の実施形態によるサイネージ検索サーバ１の変形例について説明する。前記サイネージ検索サーバ１では、コンテンツ作成手段１４は、続きのコンテンツ情報を送信するための送信要求をサイネージサーバ４へ送信し、サイネージサーバ４から続きのコンテンツ情報を受信し、続きのコンテンツ情報のＨＴＭＬファイルを作成する。これに対し、変形例では、コンテンツ作成手段１４は、続きではなく開始から終わりまでの全範囲のコンテンツ情報を送信するための送信要求をサイネージサーバ４へ送信し、サイネージサーバ４から全範囲のコンテンツ情報を受信し、全範囲のコンテンツ情報のうちの、表示開始位置設定手段１３により設定された表示開始位置以降のコンテンツ情報を取り出し、続きのコンテンツ情報のＨＴＭＬファイルを作成する。
【００７２】
また、前記サイネージ検索サーバ１では、コンテンツ作成手段１４は、サイネージサーバ４から続きのコンテンツ情報を受信し、続きのコンテンツ情報のＨＴＭＬファイルを作成し、コンテンツ送信手段１５は、続きのコンテンツ情報のＨＴＭＬファイルを携帯端末２へ送信する。これに対し、変形例では、コンテンツ作成手段１４は、サイネージサーバ４から、続きではなく開始から終了までの全範囲のコンテンツ情報を受信し、全範囲のコンテンツ情報のＨＴＭＬファイルを作成し、コンテンツ送信手段１５は、全範囲のコンテンツ情報のＨＴＭＬファイルと、表示開始位置設定手段１３により設定された表示開始位置とを携帯端末２へ送信する。携帯端末２は、全範囲のコンテンツ情報のＨＴＭＬファイルと表示開始位置とを受信すると、表示開始位置からコンテンツ情報の表示を開始する。これにより、携帯端末２の画面には続きのコンテンツ情報が表示され、ユーザは、表示装置３に表示された広告の続きを見ることができる。
【００７３】
尚、本発明の実施形態によるサイネージ検索サーバ１のハード構成としては、通常のコンピュータを使用することができる。サイネージ検索サーバ１は、ＣＰＵ、ＲＡＭ等の揮発性の記憶媒体、ＲＯＭ等の不揮発性の記憶媒体及びインターフェース等を備えたコンピュータによって構成される。サイネージ検索サーバ１に備えた位置情報受付手段１１、サイネージ検索手段１２、表示開始位置設定手段１３、コンテンツ作成手段１４、コンテンツ送信手段１５及びサイネージＤＢ更新手段１６の各機能は、これらの機能を記述したサイネージ検索プログラムをＣＰＵに実行させることによりそれぞれ実現される。すなわち、記憶媒体に格納されたサイネージ検索プログラムをＣＰＵが読み出して実行することにより、サイネージ検索プログラムは、図３、図８〜図１３に示したように、位置情報受付手段１１、サイネージ検索手段１２、表示開始位置設定手段１３、コンテンツ作成手段１４、コンテンツ送信手段１５及びサイネージＤＢ更新手段１６として機能する。また、サイネージ検索プログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもできる。
【００７４】
以上、実施形態を挙げて本発明を説明したが、本発明は前記実施形態に限定されるものではなく、その技術思想を逸脱しない範囲で種々変形可能である。例えば、前記実施形態では、サイネージサーバ４が、広告のコンテンツ情報を表示装置３へ配信する直前に、その広告に関する表示コンテンツ関連情報（表示位置情報、表示装置住所、表示装置ビル名、コンテンツＩＤ、コンテンツ名称、コンテンツ開始時間及びコンテンツ所在情報）をサイネージ検索サーバ１へ送信し、サイネージ検索サーバ１のサイネージＤＢ更新手段１６が、受信した表示コンテンツ関連情報をサイネージＤＢ１０２に格納することにより、サイネージＤＢ１０２を更新するようにした。これに対し、サイネージサーバ４は、表示装置３へ配信する予定の広告について、所定期間分（例えば１日分）の広告に関する表示コンテンツ関連情報を、所定期間毎にサイネージ検索サーバ１へ送信するようにしてもよい。サイネージ検索サーバ１のサイネージＤＢ更新手段１６は、サイネージサーバ４から所定時間に所定期間分の表示コンテンツ関連情報を受信すると、これらの情報を記憶手段に格納しておき、表示コンテンツ関連情報に含まれるコンテンツ開始時間と現在時間とを比較し、現在時間がコンテンツ開始時間になったときに、その広告の表示コンテンツ関連情報をサイネージＤＢ１０２に格納する。これにより、サイネージＤＢ１０２は更新され、サイネージＤＢ１０２には、表示装置３に現在表示されている広告に関する表示コンテンツ関連情報が格納されることになる。
【００７５】
また、前記実施形態では、サイネージ検索サーバ１のコンテンツ送信手段１５が、コンテンツ名称等及びＵＲＬを携帯端末２へ送信し、ユーザにより指定されたコンテンツの送信要求を受信し、その送信要求が示すＨＴＭＬファイルを携帯端末２へ送信するようにした。これに対し、サイネージ検索手段１２により、ユーザが表示装置３にて見ていたであろうコンテンツの候補として１つのコンテンツが特定された場合には、コンテンツ送信手段１５は、コンテンツ名称等及びＵＲＬを携帯端末２へ送信することなく、そのコンテンツのＨＴＭＬファイルを携帯端末２へ直接送信するようにしてもよい。これにより、ユーザは、コンテンツを指定する操作を行うことなく、表示要求の操作の後、表示装置３に表示されたコンテンツの続きを、携帯端末２の画面にて直ちに見ることができる。
【符号の説明】
【００７６】
１  サイネージ検索サーバ
２  携帯端末
３  表示装置
４  サイネージサーバ
５  ネットワーク
１１  位置情報受付手段
１２  サイネージ検索手段
１３  表示開始位置設定手段
１４  コンテンツ作成手段
１５  コンテンツ送信手段
１６  サイネージＤＢ更新手段
１０１  ユーザＤＢ
１０２  サイネージＤＢ
１０３  コンテンツＤＢ
【図１】
2011086213.tif 000003
【図２】
2011086213.tif 000004
【図３】
2011086213.tif 000005
【図４】
2011086213.tif 000006
【図５】
2011086213.tif 000007
【図６】
2011086213.tif 000008
【図７】
2011086213.tif 000009
【図８】
2011086213.tif 000010
【図９】
2011086213.tif 000011
【図１０】
2011086213.tif 000012
【図１１】
2011086213.tif 000013
【図１２】
2011086213.tif 000014
【図１３】
2011086213.tif 000015